(57)【要約】【課題】留守宅であっても、管内のガス置換と気密検査を行うことができ、しかも交換工事で使用するガスの費用を需要者負担としないガス配管交換方法を提供すること。【解決手段】一次側配管７の接続口７１とガスメータ１０の一次側口金１１とを切り離すとともに、一次側配管７の接続口７１には接続プラグ２１を装着し、ガスメータ１０の一次側口金１１には、接続キャップ２２を装着する。接続プラグ２１に開閉弁２３を装着して計測装置１６に接続し、接続キャップ２２に開閉弁２４を装着して計測装置１６に接続する。一次側配管７において、新管に交換する前に、気密検査工程、空気パージ工程を行った後、一次側配管７内を閉ループにした状態で、本支管１からガスを供給することによって一次側配管７のガス置換を行う。【選択図】図２
2008190915.tif 000002
【特許請求の範囲】
【請求項１】
家庭内に供給されるガス配管は、ガスメータを間にして、ガス供給源から前記ガスメータまで接続される一次側配管と前記ガスメータから家庭内に接続される二次側配管とに分割され、前記一次側配管の一部を交換するガス配管交換方法において、
前記一次側配管と前記ガスメータとを切り離した状態で、前記一次側配管の前記ガスメータとの接続口に計測装置を接続させて、前記一次側配管内におけるガス配管交換に伴う混入空気をガスに置換するガス置換を行うことを特徴とするガス配管交換方法。
【請求項２】
家庭内に供給されるガス配管は、ガスメータを間にして、ガス供給源から前記ガスメータまで接続される一次側配管と前記ガスメータから家庭内に接続される二次側配管とに分割され、前記一次側配管の一部を交換するガス配管交換方法において、
前記一次側配管と前記ガスメータとを切り離した状態で、前記一次側配管及び前記ガスメータに計測装置を接続させて、管内における気体の漏れが無いかどうかの気密検査を行うことを特徴とするガス配管交換方法。
【請求項３】
前記計測装置には、管内の気体を大気に排出できる開閉弁が配設されていることを特徴とする請求項１又は２記載のガス配管交換方法。
【請求項４】
前記計測装置には、管内のガスを回収可能な昇圧キットを備え、前記一次側配管の一部の配管を交換する前に、前記一次側配管内を閉ループにした上で、管内に前記昇圧キットからのガスを供給して、一次側配管における所定の配管以外の配管の気密検査を行う気密検査工程を含むことを特徴とする請求項２又は３記載のガス配管交換方法。
【請求項５】
前記計測装置に接続された前記一次側配管の接続口には前記計測装置を接続する接続プラグを装着し、前記計測装置に接続された前記ガスメータの一次側口金には前記計測装置を接続する接続キャップを装着して、前記計測装置と前記接続キャップとの間に開閉弁を介在させたことを特徴とする請求項３又は４記載のガス配管交換方法。
【請求項６】
前記一次側配管の一部を新管に交換する前に、前記一次側配管内に空気を送り込んで残留ガスを排出する空気パージ工程を含むことを特徴とする請求項１，３又は５のいずれかに記載のガス配管交換方法。
【請求項７】
前記一次側配管の一部を新管に交換した後、前記一次側配管と前記ガスメータとを前記計測装置に接続した状態で、前記ガスメータの一次側口金から混入した空気を、前記二次側配管内の残留ガス圧力によって排出するガスメータ内のガスパージ工程を含むことを特徴とする請求項１,２,３，４，５又は６のいずれかに記載のガス配管交換方法。
【発明の詳細な説明】
【技術分野】
【０００１】
この発明は、ガスメータの一次側配管として構成する灯内管又は灯外管あるいは本支管から灯外管までのガス供給管等の一部の配管を交換するガス配管交換方法に関する。
【背景技術】
【０００２】
一般に、本支管から各家庭内までに接続される都市ガスの配管は、本支管から枝分かれして敷地境界線まで延設する供給管と、各家庭内の敷地内地下に埋設されてガス栓まで配管される灯外管と、ガス栓からガスメータを通って家庭内まで配管される灯内管とで構成されている。通常、ガスメータは灯内管の中間部に配置され、ガスメータの上流側では本支管から灯内管の一部まで接続された一次側配管として配管され、ガスメータの下流側では灯内管から家庭内のガス器具に接続された二次側配管として配管されている。
【０００３】
この一次側配管の一部、特に、本支管から枝分かれをする供給管又は灯外管の劣化による新管交換工事を行う場合或いは本支管を新規なＰＥ管等に入れ換える入換工事を行う場合、ガス配管内に空気が混入するため、空気を排出する必要があった。従来、この空気の混入は、ガス配管の最終位置、つまり家庭内におけるガス器具を使って排出していた。
【０００４】
しかし、最近では、家を留守にしたり家庭内への入室を拒否したりして、家庭内に入ることが困難な状態になってきた。特に、家を留守にしている場合には、住人が帰宅するまで待機する必要があり、入室拒否の場合には、工事そのものが施工できなかった。
【０００５】
従来、ガスメータを交換する際において、上記の課題を解決すべき対策が特許文献１及び特許文献２によってなされていた。
【０００６】
特許文献１では、住人が留守であっても、ガスメータを新規に交換するとともに屋外で気密検査及びガス置換ができる方法が開示され、また、特許文献２では改良されたガスメータの交換方法が記載されている。
【特許文献１】特開２００２−３１０７６６公報
【特許文献２】特開２００６−１４５２７７公報
【発明の開示】
【発明が解決しようとする課題】
【０００７】
しかし、特許文献１及び特許文献２に記載されている内容は、いずれもガスメータの交換に関するものであるから、新規ガスメータ交換に伴う気密検査及びガス置換は家庭内に接続される二次側配管内で行われることになっていた。つまり、気密検査とガス置換を行うことができる計測装置をガスメータの二次側口金と二次側配管との間に配置して行われるものであった。この場合、ガスメータは新規に交換することからガスメータの指針が回っても需要者負担にはならなかった。
【０００８】
ところで、一次側配管の新管交換工事の場合、この場合においても新管を入れ換えることによって管内には空気が混入することになる。そのため空気が混入することによって家庭内のガス器具が即座に点火できないことがあるとともに、点火していたガス器具が失火してしまう可能性があった。特に旧式のガス器具を使用していて一旦燃焼していたものが失火した場合には、供給されたガスが室内に充満する可能性があった。さらに、一次側配管の一部を新管に交換する場合には、ガスメータは既設のもので行うことからガスが通ることによってガスメータが回って指針が進んでしまう。この場合、指針が進んだ分の費用が需要者の負担になることから苦情の要因となっていた。従って、一次側配管の一部を交換する場合でも、ガスメータの指針を回すことなく、特に、家を留守にしている場合には、住人が帰宅するまで待機する必要がなく、また入室拒否の場合であっても工事そのものが施工できるガス配管交換方法が望まれていた。
【課題を解決するための手段】
【０００９】
この発明は、上述の課題を解決するものであり、一次側配管の一部の配管を交換する場合に、管内に混入した空気を排出するとともに気密検査を行って気体の漏れがないかどうかを調べ、また、ガスメータの指針を回すことなく交換工事を行うことができるガス配管交換方法を提供することを目的とする。そのために、以下のように行うものである。すなわち、
請求項１記載の発明では、家庭内に供給されるガス配管は、ガスメータを間にして、ガス供給源から前記ガスメータまで接続される一次側配管と前記ガスメータから家庭内に接続される二次側配管とに分割され、前記一次側配管の一部を交換するガス配管交換方法において、前記一次側配管と前記ガスメータとを切り離した状態で、前記一次側配管の前記ガスメータとの接続口に計測装置を接続させて、前記一次側配管内におけるガス配管交換に伴う混入空気をガスに置換するガス置換を行うことを特徴とするものである。
【００１０】
請求項２記載の発明では、家庭内に供給されるガス配管は、ガスメータを間にして、ガス供給源から前記ガスメータまで接続される一次側配管と前記ガスメータから家庭内に接続される二次側配管とに分割され、前記一次側配管の一部を交換するガス配管交換方法において、前記一次側配管と前記ガスメータとを切り離した状態で、前記一次側配管及び前記ガスメータに計測装置を接続させて、管内における気体の漏れが無いかどうかの気密検査を行うことを特徴とするものである。
【００１１】
請求項３記載の発明では、前記計測装置には、管内の気体を大気に排出できる開閉弁が配設されていることを特徴としている。
【００１２】
請求項４記載の発明では、前記計測装置には、管内のガスを回収可能な昇圧キットを備え、前記一次側配管の一部の配管を交換する前に、前記一次側配管内を閉ループにした上で、管内に前記昇圧キットからのガスを供給して、一次側配管における所定の配管以外の配管の気密検査を行う気密検査工程を含むことを特徴としている。
【００１３】
請求項５記載の発明では、前記計測装置に接続された前記一次側配管の接続口には前記計測装置を接続する接続プラグを装着し、前記計測装置に接続された前記ガスメータの一次側口金には前記計測装置を接続する接続キャップを装着して、前記計測装置と前記接続キャップとの間に開閉弁を介在させたことを特徴としている。
【００１４】
請求項６記載の発明では、前記一次側配管の一部を新管に交換する前に、前記一次側配管内に空気を送り込んで残留ガスを排出する空気パージ工程を含むことを特徴としている。
【００１５】
請求項７記載の発明では、前記一次側配管の一部を新管に交換した後、前記一次側配管と前記ガスメータとを前記計測装置に接続した状態で、前記ガスメータの一次側口金から混入した空気を、前記二次側配管内の残留ガス圧力によって排出するガスメータ内ガスパージ工程を含むことを特徴としている。
【発明の効果】
【００１６】
本発明によれば、本支管からガスメータの一次側口金に接続する一次側配管の一部を新管に交換する場合、切断する前に、まずガスメータを一次側配管の接続口から切り離して計測装置に接続する。そして、交換すべき既設の配管の一部を切断し新管に交換する。新管に交換すると本支管からのガスが一次側配管内に供給され、既設の配管を切断する際に管内に混入した空気が新たに供給されたガスによって押し出され一次側配管から計測装置を通ることになる。計測装置では酸素濃度を計測することによって、供給されたガスで管内に残された空気が完全に押出されたかどうかを確認することができる。酸素濃度が所定の範囲以内であれば、ガス置換が行われたと判定される。これによって一次側配管においては、ガスメータを通すことなくガス置換が行えることから、ガスメータのメータ指針を回すことがない。従って、需要者の負担にはならず、これに対する需要者からの苦情もない。
【００１７】
また、本発明は、まずガスメータを一次側配管の接続口から切り離して一次側配管の接続口及びガスメータの一次側口金を計測装置に接続し、新管の交換工事を行った後に、管内の気体の漏れがないかどうかの気密検査を行う。気密検査においては、ガス栓を閉じて二次側配管を含む灯内管を閉ループにした上で灯内管内を昇圧する。昇圧後、所定の時間内で変化がなければ、管内における気体の漏れがないと判定される。従って、一次側配管の一部のガス配管を交換する場合であっても、二次側配管とガスメータとを接続した状態で気密検査を行うことができることから、ガス置換を行った状態で作業をすることができ作業性を低下させることはない。また、屋外での気密検査ができるので、留守宅であったり入室拒否された場合であったりしても工事を終了することができる。
【００１８】
また、本発明では、ガス置換や気密検査を行う場合に、計測装置に開閉弁を装着することによって、簡単に管内を閉塞したり開放したりすることができることから、計測装置を一次側配管とガスメータとの間に装着した状態で、各種の作業を手間のかからないように行うことができる。
【００１９】
また、この発明では、一次側配管の一部を新管に交換する前に、一次側配管における、交換する配管以外の配管に気体の漏れがないかどうかの一次側配管の気密検査を行う。これは、一次側配管とガスメータとを切り離した後、それぞれ計測装置に接続した状態で、既設配管の切断口から計測装置までを閉ループにし、計測装置の昇圧キットに回収されたガスを管内に供給することによって行われる。所定の時間内で圧力の変化がなければ、気体の漏れがないと判定される。従って、新管を交換する前に一次側配管の気密検査を行うことによって、もし、漏れがある場合には、即座に新たなガス配管に交換することができることから、効率のよいガス配管の交換工事を行うことができる。
【００２０】
また、ガスメータには、通常、一次側口金に最も近い位置に磁気遮断弁が配置されていて磁気遮断弁を強制遮断することによって、一次側口金を一次側配管から外してもガスメータ内部の磁気遮断弁から下流側には空気が混入しない。しかし磁気遮断弁は、耐圧が低いことから、例えば、一次側配管内の圧力を上げて気密検査を行う場合に、管内を昇圧させることによって昇圧された気体が弁部から漏洩して二次側配管内へ流入する。この場合ではガスメータの一次側口金から混入した空気が磁気遮断弁を通過してガスメータ内に流入することになる。このため、本発明では、ガスメータの一次側接続口には開閉弁を装着しているから、一次側配管内が昇圧されても、二次側配管側には空気が混入することがない。
【００２１】
さらに、この発明では、ガスメータ内の一次側口金から磁気遮断弁までの間に混入した空気をガスに置換するガスパージ工程を行う。つまり、ガス配管交換工事の際に二次側配管とガスメータとは接続した状態にあり、一次側配管とガスメータとは計測器を介して接続されている。つまり、一次側配管の開閉弁を閉じて計測装置の開閉弁を開ける。さらにガスメータの磁気遮断弁を遮断解除することによって、ガスメータの一次側口金から混入した空気は、二次側配管内の残留ガス圧力によって押し出されて計測装置の開閉弁を通って外部に排出される。従って、二次側配管とガスメータとを切り離すことなくガスメータのガス置換を行うことから、作業効率を向上することができる。
【発明を実施するための最良の形態】
【００２２】
以下、この発明のガス配管交換方法の一実施形態を図面に基づいて説明する。第１の形態は、一戸住宅の屋外に配置されたガスメータに接続する一次側配管側における一部の配管（実施形態では灯外管の一部で説明）を交換することについて説明する。
【００２３】
図１〜２に示すように、家庭内に供給される都市ガスは、敷地外に埋設された本支管１、本支管１から敷地境界線Ｌ内まで配管される供給管２、敷地内に埋設されてガス栓４まで接続された灯外管３、ガス栓４からガスメータ１０を通り家庭内のガス器具５に接続される灯内管６を通ってガス器具５に供給されている。
【００２４】
ガスメータ１０には、上面に、一次側口金１１と二次側口金１２とが形成され、一次側口金１１にはガス供給源(本支管１)からガス栓４を介して一次側配管７が接続され、二次側口金には屋内に配置される各種のガス器具５に配管する二次側配管８が接続されている。
【００２５】
なお、一次側配管７からガスメータ１０の一次側口金１１を切り離した後、図２に示すように、一次側配管７の接続口７１とガスメータ１０の一次側口金１１とは、Ｙ字状に形成された計測装置用ホース１５を介して計測装置１６に接続することができる。計測装置１６は、酸素濃度の計測や管内の圧力変動の計測等の実行またはそれらの結果を記録できる測定器１７と、管内のガスや空気を回収するガス回収バッグ(以下、昇圧キットという。)１８と、を備えている。又、測定器１７には開閉バルブ１９が配置され、昇圧キット１８には昇圧キット用開閉バルブ２０が配置されている。
【００２６】
次に、灯外管３の一部の配管を交換する工事の手順について説明する。
【００２７】
まず、新管交換工程の前に準備工程を行う。準備工程において、測定器１７内に配置された開閉バルブ２１を開く。昇圧キット１８の昇圧キット用開閉バルブ１９は「閉」の状態にしておく。又、一次側配管７と二次側配管８とは、一次側配管の接続口からガスメータ１０の一次側口金１１を取り外した際に、２管の距離がずれる虞がある場合には、図示しない２管固定装置（特開２００６-１７０７１１参照）で固定をしておく。そして、ガス栓４を閉じる。
【００２８】
ガスメータ１０には、遮断磁石２５（図４参照）または復帰ボタン１３ａを操作することによって開閉可能に構成された磁気遮断弁１３が配置されている。この時点で、磁気遮断弁１３付近に遮断磁石２５を当てることによって磁気遮断弁１３を強制遮断する。磁気遮断弁１３を閉じた後、ガスメータ１０の一次側口金１１を一次側配管７の接続口７１より切り離す。
【００２９】
ガスメータ１０の一次側口金１１を切り離すと、一次側配管７の接続口７１には接続プラグ２１を装着し、ガスメータ１０の一次側口金１１には、接続キャップ２２を装着する。接続プラグ２１は、一次側配管７の接続口７１を塞ぐように装着されるとともに、計測装置１６に配管する計測装置用ホース１５と接続している。また、接続プラグ２１には開閉弁２３が装着されている。
【００３０】
接続キャップ２２は、図２〜３に示すように、ガスメータ１０の一次側口金１１の開口部を塞ぐように装着するとともに、開閉弁２４を介して計測装置用ホース１５と接続している。これによって、接続プラグ２１及び接続キャップ２２は計測装置１６に接続されることとなる。
【００３１】
この状態において、計測器１７には、メータ型式や号数或いは指針等の必要な事項の入力をしておく。そして、計測器１７の開閉バルブ１９を閉じ、ガス栓４を開いた上で、昇圧キット用開閉バルブ２０を開いて供給ガスを昇圧キット１８内に取り込む。昇圧キット１８はガスの流入によって膨潤可能に形成されているため、所定の膨らみ（所定の圧力）に達したら、昇圧キット用開閉バルブ２０を閉じる。
【００３２】
そして、計測器１７の開閉バルブ１９を開けた後、交換する対象となっている灯外管３の一部を切断撤去する。もちろん地面は掘削されて切断撤去できる状態にある。
【００３３】
切断撤去して残された灯外管３の切断口には、図示しない閉塞プラグを装着して切断口を塞ぐ。計測器１７の開閉バルブ１９を閉じた後、昇圧キット用バルブ２０を開いて昇圧キット１８を圧縮すると、昇圧キット１８内のガスが管内に流れ管内を昇圧（例えば、約５．０ｋPa以上）させる。昇圧後に昇圧キット用バルブ２０を閉じる。そして計測器１７を実行して一次側配管（灯外管）７内の気密検査を行う。この気密検査は、灯外管３における切断撤去部分以外の配管部分に腐食或いは劣化による漏れがないかどうかを検査するものであり、昇圧状態において数分間昇圧状態を維持できれば合格と判定するものである。もちろん漏れが確認されたら、漏れの部分を探して同時に交換工事を行う。この結果は、計測器１７に記録されることになる。この際、接続キャップ２２の開閉弁２４が閉じていることを確認する必要がある。ガスメータ１０の磁気遮断弁１３は耐圧が低いため、５．０ｋＰａでは、弁部から漏洩することとなり、一次配管側の７内のガスが二次側配管８内に流れ込む虞を生じる事から、開閉弁２４を閉じることによって、二次側配管８に流れることを防止する。
【００３４】
そして、昇圧キット用バルブ２０を開いて昇圧キット１８に管内のガスを回収することになる。昇圧キット１８が所定の膨らみ（所定の圧力）に達したら昇圧キット用バルブ２０を閉じる。
【００３５】
次にガスメータ１０内のガスパージ工程を行う。このガスパージ工程は、ガスメータ１０の磁気遮断弁１３以降のガス残圧を使用して磁気遮断弁１３からガスメータ１０の一次側口金１１までの空気を外部に排出するものである。つまり、まず計測器１７の開閉バルブ１９を開いて接続キャップ２２から計測器１７までの管内を大気圧にする。その後、一次側配管７の接続口７１に装着された接続プラグ２１の開閉弁２３を閉じて、ガスメータ１０側の接続キャップ２２に装着された開閉弁２４を開く。さらに、計測器１７の開閉バルブ１９を閉じて二次側配管８を計測器１７まで連接して管内を閉ループにする。
【００３６】
磁気遮断弁１３の復帰ボタン１３ａを押すことによって磁気遮断弁１３が開き、磁気遮断弁１３が開くことによって、ガスメータ１０の一次側口金１１を一次側配管７の接続口７１から切り離した際にガスメータ１０の一次側口金１１内から磁気遮断弁１３までに混入した空気を、計測装置用ホース１５に送ることができる。そして、計測器１７の開閉バルブ１９を開けることによって、計測装置用ホース１５内に送られた空気は、計測器１７内に設けられている脱臭機能によって無臭で外部に排出することになる。この際、計測器１７を実行することによって計測器１７の指針が大気圧であることを確認する。そして、接続キャップ２２の開閉弁２４を閉じて計測器１７への通路を遮断する。
【００３７】
ガスメータ１０内のガスパージ工程が終了すると、新管を交換する前に接続プラグ２１の開閉弁２３を開いて灯外管３内の空気パージ工程を行う。この状態では、灯外管３を含む一次側配管７は計測器１７に通じていて、二次側配管８は計測器１７とは遮断されている。この空気パージ工程は、新管に交換するために切断撤去された切断口（実際には切断口に装着された図示しない閉塞プラグ）に図示しない手動ポンプを接続し、切断口から一次側配管内に空気を供給することによって管内に残されている残留ガスを外部に排出するものである。これは、計測器１７で酸素濃度を測定する際、切断撤去する際に混入した空気が管内に残っているにもかかわらず、残留ガスを検知することによって合格の判定を降すという誤動作を防止するために、一旦管内の残留ガスを全て排出するものである。
【００３８】
切断口から空気を供給し、計測器１７で酸素濃度を計測する。所定の酸素濃度以上であれば、管内の残留ガスは排出されたと判定する。残留ガスが排出されれば、計測器１７の開閉バルブ１９を閉じ、切断口の閉塞プラグを外して新管を取付ける。
【００３９】
この状態では、前工程の空気パージ工程により一次側配管７内には空気が混入されている。また、二次側配管８内には、前述のガスメータ１０内のガスパージ工程によってガスが充満されている。従って、次に、一次側配管７内においてガスパージ工程を行う。ここで、計測器１７には、再びメータ型式・号数・指針を入力しておく。
【００４０】
新管を取付けることによって、一次側配管７には新たに本支管１からガスが供給される。ガスは一次側配管７内の空気を押し出しながら一次側配管７の接続口７１から接続プラグ２１を通って計測器１７に向かって送られる。計測器１７の開閉バルブ１９を開けることによって管内の空気は大気に排出される。そして、計測器１７を実行することによって、所定以下の酸素濃度（例えば、酸素濃度０．９％以下）が所定の時間経過して変わりなければ、空気は大気に排出されたことになり、その時点で、計測器１７の開閉バルブ１９を閉じることによって、ガスの大気への排出を停止させる。これによって、一次側配管７内はガスで充満されることとなる。二次側配管８内では、ガスが充満されていることから、本支管１から家庭内のガス器具５までがガスで充満されていることになる。
【００４１】
次に二次側配管８内の気密検査を行う。接続キャップ２２の開閉弁２４を開け、ガスメータ１０の復帰ボタン１３を押して磁気遮断弁１３が開くことによって磁気遮断弁１３の遮断を解除する。接続プラグ２１の開閉弁２３と接続キャップ２２の開閉弁２４は共に開いているから、磁気遮断弁１３を開通させることによって一次側配管７と二次側配管８とは連通することになり、一次側配管７内のガスはガスメータ１０を通って二次側配管８内に供給される。
【００４２】
ガス栓４を閉じて本支管１からの供給ガスを遮断した後、昇圧キット１８の昇圧キット用開閉バルブ２０を開ける。昇圧キット１８はガスが回収されていて膨らんだ状態にあるから、昇圧キットを圧縮することによって、ガス栓４より下流側の一次側配管７及び二次側配管８内の圧力が上がる。昇圧後、昇圧キット用開閉バルブ２０を閉じておく。
【００４３】
この圧力は、例えば、約３．０ｋＰａ以上とする。計測器１７を実行させて、例えば、３．０〜３．５ＫＰａを所定時間経過させて変化なければ、二次側配管８内では漏れがないと判断し、合格の判定が表示される。
【００４４】
磁気遮断弁１３が解除されている（開いている状態）ことを確認した上で、訂正がなければ計測器１７で登録し、その後、計測器１７の開閉バルブ１９を開け、昇圧キット用開閉バルブ２２を開けて昇圧キット１８を圧縮して残りのガスを大気に排出する。これによって、管内の圧力を大気圧まで降圧する。ガスが排出されると昇圧キット用バルブ２０を閉じる。
【００４５】
次に、磁気遮断弁１３を遮断させた後、管内の圧力が大気圧であることを確認し、計測装置用ホース１５を取り外す。そして、接続プラグ２１、接続キャップ２２を夫々取り外してガスメータ１０の一次側口金１１を一次側配管７の接続口７１に接続する。この際、必要なパッキンを新規に取り換える。ガス栓４を開き、ガスメータ１０の磁気遮断弁１３を開通させてガス配管の交換工事を終了する。
【００４６】
上述のように、実施形態のガス配管交換方法では、本支管１から接続される一次側配管７内で配管の交換工事を行う際、一次側配管７とガスメータ１０とを切り離して、一次側配管７とガスメータ１０とをそれぞれ計測装置１６に接続する。これによって、本支管１と家庭内のガス器具５とを一次側配管７、計測装置１６、二次側配管８と順に接続することになる。そして、一次側配管７と計測装置１６との間及びガスメータと計測装置１６との間、さらに計測装置と大気との間にそれぞれ開閉弁を装着することによって、一次側配管７内のガス置換や気密検査或いは一次側配管７と二次側配管８を含めた気密検査を行うことができる。
【００４７】
これによって、本支管１から一次側配管の接続口の間の既設の配管を新管に交換する際、付帯するガス置換パージ作業・気密検査を屋外で行うことができ、留守宅であっても帰宅するまで待機することなく、また入室拒否されても交換工事を行うことができるとともに、ガス器具を安全に使用することができる。しかも、ガス置換を行う際に、ガスメータ１０を通さずに行えることから、ガスメータ１０の指針を回すことなくそのために需要者への費用を発生させない。
【００４８】
さらに、ガスメータ１０と計測装置１６との間に開閉弁２４を設けることによって、一次側配管７内を昇圧しても開閉弁を閉じておけば、昇圧されたガスがガスメータ１０内への流入を防止することができる。
【００４９】
また、ガスメータ１０には磁気遮断弁１３が配置されていて、一次側口金１１と磁気遮断弁１３との間には、ガスメータ１０を一次側配管７から切り離す際に、空気が混入する。この空気の混入は、ガスメータ１０を一次側配管７から遮断した状態で二次側配管８内の残留ガスを計測装置１６から大気側に排出させることによって、ガスメータ１０内のガス置換を行える。そのため、従来、ガスメータ交換作業で行われていたような二次側配管８とガスメータ１０とを切り離すことなく、ガス置換と気密検査を行えることになって、作業性を低下させることなく効率のよい作業を行うことができる。
【００５０】
さらに、一次側配管７の接続口７１に測定器１７と昇圧キット１８を備えた計測装置１６を接続することによって、閉ループを形成した一次側配管７内での気密検査を行うことができる。
【００５１】
また、既設の配管を切断撤去して新管を取り付ける前には、切断口から新たに空気を導入することによって一次側配管７内の残留ガスを排出するようにしている。このため、残留ガスの上流側に空気があっても、計測器１７を実行する際に、検知された残留ガスを新たに供給されたガスと間違えて合格とする計測器１７の誤動作を防止することができる。
【００５２】
なお、一次側配管７において、新管に交換するガス配管は、本支管１であってもよく、供給管２又は灯外管３のいずれでも良い。さらに、ガス栓４とガスメータ１０との間の灯内管６であっても同様に交換することは可能である。
【００５３】
また、本発明のガス配管交換方法は、上記の形態に限定するものではない。例えば、第２の形態として、図５に示すように、集合住宅においても同様に行うことができる。集合住宅では、灯外管３から接続されるガス栓２６は、各戸別に配置されるガス栓４より大容量のものが使用され、ガス栓２６から各戸に分岐されている。この大容量のガス栓２６に一番近いところのガスメータ１０を使用して、前述と同様の作用を行えば、集合住宅の場合であっても、本支管１から灯外管３までの既設の配管を新管に交換することができる。
【図面の簡単な説明】
【００５４】
【図１】一戸住宅に配管されるガス配管の一形態を示す簡略図である。
【図２】一次側配管とガスメータを切り離して夫々計測装置に連結した状態を示す斜視図である。
【図３】接続キャップを示す一部正面断面図である。
【図４】ガスメータの磁気遮断弁を遮断解除するための作用図である。
【図５】集合住宅における一次側配管の一部を示す簡略図である。
【符号の説明】
【００５５】
１、本支管
２、供給管
３、灯外管
４、ガス栓
５、ガス器具
６、灯内管
７、一次側配管
７１、接続口
８、二次側配管
１０、ガスメータ
１１、一次側口金
１２、二次側口金
１３、磁気遮断弁
１５、計測装置用ホース
１６、計測装置
１７、測定器
１８、昇圧キット
１９、開閉バルブ
２０、昇圧キット用開閉バルブ
２１、接続プラグ
２２、接続キャップ
２３、開閉弁
２４、開閉弁
２６、ガス栓
【図１】
2008190915.tif 000003
【図２】
2008190915.tif 000004
【図３】
2008190915.tif 000005
【図４】
2008190915.tif 000006
【図５】
2008190915.tif 000007